(57)【要約】【課題】原稿の斜行を少なくして案内すること。【解決手段】シート給送装置は、シートを給送する給紙ローラと、給紙ローラにシートを圧接するための圧接アーム２０と、圧接アーム２０を給紙ローラに付勢する付勢手段と、圧接アーム２０の下流側で給紙ローラに圧接可能に配置される摩擦部材と、を備えている。そして、圧接アーム２０に、シートの給送方向に対して交差する方向に配置され、給紙ローラに当接するようにコロ２１Ｌ，２１Ｒを夫々支持する１対のホルダ部２０Ｌ，２０Ｒが備えられている。各ホルダ部２０Ｌ，２０Ｒに支持される夫々のコロ２１Ｌ，２１Ｒの回転軸２５Ｌ，２５Ｒが、シート給送方向に対して同一角度で互いに逆向きに傾いている。【選択図】図３
2007314281.tif 000002
【特許請求の範囲】
【請求項１】
シートを給送する給送回転体と、該給送回転体にシートを圧接するための圧接アームと、該圧接アームを前記給送回転体に付勢する付勢手段と、該圧接アームの下流側で前記給送回転体に圧接可能に配置される摩擦部材と、を備えるシート給送装置において、
前記圧接アームに、シートの給送方向に対して交差する方向に配置され、前記給送回転体に当接するように回転体を夫々支持する１対のホルダ部を備え、
前記各ホルダ部に支持される夫々の回転体の回転軸が、前記シート給送方向に対して同一角度で互いに逆向きに傾いていることを特徴とするシート給送装置。
【請求項２】
前記圧接アームの前記１対のホルダ部を先端になるに連れて徐々に開く形状とすることを特徴とする請求項１に記載のシート給送装置。
【請求項３】
前記圧接アーム及び前記摩擦部材を夫々回動可能に支持し、前記圧接アームを回動可能に支持する支持部と前記摩擦部材を回動可能に支持する軸受とを異なる位置に配置することを特徴とする請求項１又は２に記載のシート給送装置。
【請求項４】
前記回転体の表層が、ゴム、エラストマの摩擦係数の高い材料で形成されていることを特徴とする請求項１又は２に記載のシート給送装置。
【請求項５】
前記回転体の表層が、ゴム、エラストマの硬度の低い材料で形成されていることを特徴とする請求項１，２，４のいずれか１項に記載のシート給送装置。
【請求項６】
請求項１乃至５のいずれか１項に記載のシート給送装置と、
前記シート給送装置によって搬送されてきたシートの画像を読み取る画像読取手段と、を備えたことを特徴とする画像読取装置。
【発明の詳細な説明】
【技術分野】
【０００１】
本発明は、シートを給送するシート給送装置と、シート給送装置から給送されたシートに形成された画像を読み取る画像読取装置とに関する。
【背景技術】
【０００２】
従来、ファクシミリ、イメージスキャナー、コピーなどの画像読取装置には、シートとしての原稿を自動的に給送するシート給送装置としての自動原稿給送装置（ＡＤＦ：ａｕｔｏ  ｄｏｃｕｍｅｎｔ  ｆｅｅｄｅｒ）を装備しているものがある。この自動原稿給送装置には、積載されている原稿束の下位の原稿から１枚ずつ給送するシート給送装置を備えているものがある（特許文献１参照）。
【０００３】
このシート給送装置は、原稿積載トレイと、給紙ローラと、給紙ローラに圧接する分離片と、分離片の上流側に配置された予備搬送腕等を備えている。このシート給送装置は、原稿積載トレイ上に積載された原稿束を予備搬送腕により給紙ローラに付勢して、給紙ローラを回転させて原稿束を送り出し、下流側に配置された分離片と給紙ローラとの間で、原稿を１枚ずつに分離して給送するようになっている。
【０００４】
また、簡単な構成で給紙ミスを防止する別の形態のシート給送装置として、予備搬送腕の代わりにばね板からなる左右に配置したピックばねと中央に配置したピックばねとを設けたものもある（特許文献２参照）。
【０００５】
【特許文献１】特許３３９７６５０号公報（図３、図６）
【特許文献２】特開平７−２５７７６９号公報（図１）
【発明の開示】
【発明が解決しようとする課題】
【０００６】
しかし、従来のシート給送装置は、以下の課題があった。
【０００７】
（１）原稿束を給紙ローラに圧接する予備搬送腕やピックばねなどの圧接部材が、部品寸法不良に基づくガタや取り付けのガタの範囲内で傾いた場合、原稿給送時に原稿に斜行が発生するおそれがある。しかも、圧接部材によるシートの斜行には、ばらつきがあった。また、最後の１枚の原稿は、圧接部材の傾きの影響を大きく受けるため、斜行量が大きくなる傾向にあった。
【０００８】
（２）予備搬送腕を用いたシート給送装置においては、分離片と予備搬送腕とが同一の軸に支持されている場合があり、この場合には、予備搬送腕の傾きが分離片の傾きにまで影響を及ぼして分離片も傾いて、さらに斜行量が大きくばらつくことがあった。
【０００９】
（３）両面光沢紙、写真はがきなどを給送すると、予備搬送腕の擦過跡が残り、品位を落とすことがあった。
【００１０】
また、このようなシート給送装置を備えた画像読取装置は、原稿に斜行が発生して原稿全体を読み取ることができないことがあった。
【００１１】
本発明は、シート給送時のシートの斜行を少なくしたシート給送装置を提供することにある。
【００１２】
本発明は、シート給送時のシートの斜行を少なくしてシートに形成されている画像全体を確実に読み取れるようにした画像読取装置を提供することにある。
【課題を解決するための手段】
【００１３】
本発明のシート給送装置は、シートを給送する給送回転体と、該給送回転体にシートを圧接するための圧接アームと、該圧接アームを前記給送回転体に付勢する付勢手段と、該圧接アームの下流側で前記給送回転体に圧接可能に配置される摩擦部材と、を備えるシート給送装置において、前記圧接アームに、シートの給送方向に対して交差する方向に配置され、前記給送回転体に当接するように回転体を夫々支持する１対のホルダ部を備え、前記各ホルダ部に支持される夫々の回転体の回転軸が、前記シート給送方向に対して同一角度で互いに逆向きに傾いていることを特徴としている。
【００１４】
本発明の画像読取装置は、上記のシート給送装置と、前記シート給送装置によって搬送されてきたシートの画像を読み取る画像読取手段と、を備えている。
【発明の効果】
【００１５】
本発明のシート給送装置は、次の効果を奏する。
【００１６】
（１）圧接アームが傾いている場合でも、給送回転体と回転体との間にシートが挿入される時に回転体に加わるシートとの摩擦力により、圧接アームの傾きが矯正される。よって、シートを斜行させることなく、真っ直ぐに給送することができる。
【００１７】
（２）最後の１枚を案内するとき、通紙中にも回転体による斜行を止める方向の摩擦力が給送回転体によってシートに加わることとなり、斜行量を少なくすることができる。
【００１８】
（３）回転体でシートを案内するので、シートが光沢紙、写真はがきなどであっても、擦過跡等を残さずにシートを給送することができる。
【００１９】
本発明の画像読取装置は、シートの斜行量が少ないシート給送装置を備えているので、シートを真っ直ぐな状態で正確に読み取ることができる。
【発明を実施するための最良の形態】
【００２０】
以下、本発明の実施形態のシート給送装置と、このシート給送装置を備えた画像読取装置とを図面に基づいて説明する。
【００２１】
（画像読取装置）
図１は、本実施形態のシート給送装置１０１を備えた画像読取装置１０２の原稿搬送方向に沿った断面図である。給紙トレイ１は、画像が印字された原稿束を支えるトレイである。
【００２２】
側端規制部材対２は、給紙トレイ１に、原稿（シート）の幅方向（原稿搬送方向に対して交差（直交）する方向）に移動自在に設置され、原稿の幅方向の位置決めをする。差し込み口３は、原稿が差し込まれる部分である。給紙ローラ４は、差し込まれた原稿束を下側の原稿から順次給送する大径の駆動ローラである。
【００２３】
圧接アームユニット５は、原稿束の先端を給紙ローラ４に圧接して、給紙ローラ４が回転することにより原稿束の先端を分離部材６と給送ローラ４との間に搬送する。圧接アームユニットの構成は、後述する。
【００２４】
分離部材６は、最下位の原稿以外の原稿が装置内部に送り込まれないように阻止する部材である。駆動回転する搬送ローラ７と従動回転する搬送コロ８は、分離部材６によって分離された原稿に搬送力を加えて、定速で搬送する搬送ローラ対である。搬送コロ８は、搬送ローラ７に向けて付勢されている。
【００２５】
イメージセンサ９は、搬送されてきた原稿の下面に形成されている画像を読み取る機能を備えている。押し当て板１０は、イメージセンサ９に搬送されてきた原稿をイメージセンサ９に押し当て、イメージセンサ９が原稿の画像を確実に読み取れるようにしている。駆動回転する排紙ローラ１１と従動回転する排紙コロ１２は、画像を読み取られた原稿を排紙トレイ１３に排出するローラ対である。排紙コロ１２は、排紙ローラ１１に向けて付勢されている。
【００２６】
なお、イメージセンサ９が原稿搬送方向の下側に設けられているので、給紙トレイ１に積載される原稿は、読み込みたい画像形成面を下側にして積載される。また、後述する左圧接コロ２１Ｌ、右圧接コロ２１Ｒ、搬送コロ８、押し当て板１０、及び排紙コロ１２は、読み込みたい画像形成面とは反対側の面に接触するようになっている。
【００２７】
フレーム１４は、以上説明した部材の内、給紙トレイ１、給紙ローラ４、搬送ローラ７、イメージセンサ９、排紙ローラ１１、及び排紙トレイ１３を位置決めして保持している。読取ガイド１５は、圧接アームユニット５、分離部材６、搬送コロ８、押し当て板１０、排紙コロ１２を位置決めして保持している。
【００２８】
また、以上の画像読取装置１０２において、給送回転体としての給紙ローラ４、圧接アームユニット５等は、本発明のシート給送装置１０１を構成している。なお、給紙ローラ４の代わりに循環するベルトを使用してもよい。
【００２９】
（第１実施形態のシート給送装置）
図２は、図１の画像読取装置における第１実施形態のシート給送装置１０１周辺の拡大図である。図３は、圧接アーム２０の平面図である。図４は、図２に示した矢印Ｂ方向から見た図である。図５は、圧接アーム２０が傾いたときの図である。図６は、傾いた圧接アーム２０に加わる力の関係を示す図である。
【００３０】
なお、シート給送装置は、図２において、原稿を左から右に搬送し、図３乃至図６において、図面の上から下へ搬送するようになっている。
【００３１】
図３において、圧接アームユニット５の圧接アーム２０は、用紙接触部の左側を形成する左圧接コロホルダ部２０Ｌと、右側を形成する右圧接コロホルダ部２０Ｒとの１対を有している。左圧接コロホルダ部２０Ｌの先端には、回転体としての左圧接コロ２１Ｌが回動自在に設けられている。右圧接コロホルダ部２０Ｒの先端には、回転体としての右圧接コロ２１Ｒが回転自在に設けられている。圧接アーム２０、左圧接コロホルダ部２０Ｌ、右圧接コロホルダ部２０Ｒ、左圧接コロ２１Ｌ、右圧接コロ２１Ｒにより、圧接アームユニット５が構成されている。なお、コロ２１Ｌ，２１Ｒの代わりに循環するベルトを使用してもよい。
【００３２】
そして、圧接アーム２０は、左圧接コロホルダ部２０Ｌと、右圧接コロホルダ部２０Ｒとにより分岐したアーム形状に形成されており、左、右圧接コロホルダ部２０Ｌ，２０Ｒが、先端側（圧接コロ側）に進むにつれて徐々に左右方向に開く形状に形成されている。圧接アーム２０の両側には、長孔状のアーム回動軸受部２０Ｂが形成されている。アーム回動軸受部２０Ｂは、分離パッドアーム２３の回動中心軸２３Ｓに係合している。また、圧接アーム２０は、付勢手段である圧接ばね２２によって、給紙ローラ４に向けて付勢され、左圧接コロ２１Ｌ、右圧接コロ２１Ｒが給紙ローラ４に圧接されている。
【００３３】
分離パッドアーム２３は、摩擦部材としての分離片２４を有し、両脇に回動中心軸２３Ｓが突出している。回動中心軸２３Ｓは、読取ガイド１５に一体に形成された軸受部１５Ｂに保持されている。
【００３４】
したがって、圧接アーム２０は、分離パッドアーム２３の回転中心軸を中心にして上下方向に回動するようになっており、アーム回動軸受部２０Ｂと回動中心軸２３Ｓは、圧接アーム２０の支持部３２Ｌ，３２Ｒを構成している。
【００３５】
図４は、図２に示した矢印Ｂ方向から見た図であり、給紙ローラ４、フレーム１４を除去した図である。右圧接コロ２１Ｒ、左圧接コロ２１Ｌの回動軸２５Ｒ，２５Ｌは、原稿搬送方向に対して同一角度（α  図３参照）で互いに逆向きに傾斜させて取り付けられている。
【００３６】
また、圧接アーム２０の回転軸受部２０Ｂと回転中心軸２３Ｓとの間には遊びＧが設けられている。すなわち、支持部３２Ｌ，３２Ｒに遊びＧが設けられている。この遊びＧにより、圧接アーム２０が原稿搬送方向に沿って傾動できるようにしてある。また、回転軸受部２０Ｂと回転中心軸２３Ｓは、圧接アーム２０が原稿搬送方向の下流側へ移動するのを規制している。
【００３７】
（画像読取装置、シート給送装置の動作説明）
原稿束は、ユーザによって給紙トレイ１にセットされる際に、側端規制部材対２に規制されて、給紙トレイ１上を滑り、真っ直ぐに差し込み口３に差し込まれる。差し込まれた原稿束は、左圧接コロ２１Ｌ、右圧接コロ２１Ｒと、給紙ローラ４との間に押し込まれる。そして、原稿束は、原稿束の最上位の原稿で摩擦により左圧接コロ２１Ｌ、右圧接コロ２１Ｒを回転させながら、さらに、先端が分離片２４に当接するまで差し込まれる。
【００３８】
ここで、圧接アーム２０の左圧接コロ２１Ｌと右圧接コロ２１Ｒとのアライメントがずれている場合について説明する。原稿束を差し込む前に、部品寸法不良に基づくガタや取り付けのガタなどにより左圧接コロ２１Ｌ、右圧接コロ２１Ｒが、図５、図６に示すように破線の矢印方向に傾いていたとする。例えば、原稿搬送方向に対して直交する線Ｌに対する左圧接コロ２１Ｌの回動軸２５Ｌの傾き角が５．３度、右圧接コロ２１Ｒの回動軸２５Ｒの傾き角が３．３度であるとする。また、原稿束を差し込んだとき、原稿から左右圧接コロ２１Ｌ，２１Ｒに加わる差し込み力をＦとする。
【００３９】
原稿束を差し込むと、図６（ｂ）に示すように、差し込み力Ｆの分力ＦＲ＝ｓｉｎα１＝ｓｉｎ５．３が、回動軸２５Ｌの向きと平行な外向きに作用する。同様に、差し込み力Ｆの分力ＦＬ＝ｓｉｎα２＝ｓｉｎ３．３が、回動軸２５Ｒの向きと平行な外向きに作用する。（分力ＦＲ＝ｓｉｎ５．３）＞（分力ＦＬ＝ｓｉｎ３．３）であるので、原稿束が進入するのにともなって、（分力ＦＲ−分力ＦＬ）の力が、分力ＦＲと同一の方向にモーメントとして圧接アーム２０に作用する。圧接アーム２０は、支持部３２Ｒの隙間Ｇの範囲内で、遊びＧの範囲で図６（ａ）の実線の矢印方向に傾いてアライメントが矯正される。
【００４０】
アライメントを矯正された圧接アーム２０は、回動軸２５Ｌと回動軸２５Ｒとが原稿搬送方向に対して直交する線Ｌに対して同じ傾き（図３参照、α）になって、正常な向きに矯正されたことになる。
【００４１】
よって、圧接アーム２０は、傾いていると、回動軸２５Ｒ，２５Ｌが互いに逆向きに傾斜しているので、側板規制部材対２に案内されて真っ直ぐに差し込まれた原稿束によって、回転モーメントが発生して、自動的に、真っ直ぐに矯正される。しかも、圧接アームの傾きの矯正は、原稿束が差し込まれる度に、行われるので、圧接アーム２０が傾いたままになっていることが殆どない。
【００４２】
その後、制御部３３（図１参照）の制御により、給紙ローラ４が回動を始める。圧接アーム２０は、真っ直ぐに矯正されており、給紙ローラ４と協働して、原稿を真っ直ぐに給送して、原稿に斜行を生じさせないようにする。給紙ローラ４の回動によって、原稿束の最下位の原稿１枚のみが、分離部材６の分離片２４の摩擦力に抗して進行していく。原稿は、搬送ローラ７と搬送コロ８とに挟まれて、安定した搬送速度で搬送されながら、押し当て板１０によってイメージセンサ９に押し付けられて進行する。この間、イメージセンサ９が、原稿の下面に形成された画像をスキャンして、画像データとして読み込む。
【００４３】
原稿の画像の読み込みが終了した部分は、搬送ローラ７の搬送力で進行を続けて、排紙ローラ１１と排紙コロ１２とのニップに入り込み、排紙ローラ１１の搬送力も受けて機外に進行していく。画像読み込みが終了した原稿は、排紙トレイ１３上に順次積載されていく。
【００４４】
原稿束最上位の原稿は、最後に給送されて、画像を読み取られる。このとき、原稿は、上面が左圧接コロ２１Ｌ、右圧接コロ２１Ｒに接しながら進行していく。しかも、両コロ２１Ｌ，２１Ｒは、ともに回転自在になっているので、原稿の上面を転がり、原稿に傷を付けるようなことが殆どない。
【００４５】
なお、左、右圧接コロ２１Ｌ，２１Ｒの回動軸２５Ｌ，２５Ｒは、外側端部が内側端部より下流側に位置するように傾いているが、図８に示す、左、右圧接コロ４２Ｌ，４２Ｒの回動軸４５Ｌ，４５Ｒのように、外側端部が内側端部より上流側に傾いていてもよい。
【００４６】
以上の第１実施形態のシート給送装置１０１は、以下の効果を奏する。
【００４７】
（１）原稿束挿入時に、左、右圧接ローラ２１Ｌ，２１Ｒと原稿束との間の摩擦力により、圧接アーム２０が下流側に押されながら、圧接アーム２０の傾きが自動的にアライメントされる。このように、圧接アーム２０が、支持部のガタによる傾きを修正されて、常にほぼ中心付近にセットされるので、圧接アーム２０の斜行にバラツキがあっても、傾きを確実に修正して、原稿を斜行させることなく給送することができる。
【００４８】
（２）最後の１枚の原稿を給送するとき、その原稿の通過中であっても、左、右圧接ローラによる斜行を止める方向の摩擦力が原稿に加わることとなり、原稿の斜行量を少なくすることができる。
【００４９】
（３）原稿が、両面光沢紙、写真はがきであっても、原稿に接触するのは、左、右圧接ローラ２１Ｌ，２１Ｒであるので、従来と異なって、原稿に擦過跡等を残さずに原稿を給送することができる。
【００５０】
（第２実施形態のシート給送装置）
図７は、第２実施形態のシート給送装置を原稿搬送方向に沿った断面図である。このシート給送装置１１１は、圧接アーム３１に回動軸３１Ｓを両脇に突設してある。そして、この回動軸３１Ｓが、フレーム１５に形成されたアーム回動軸受部１５Ｃに直接保持されている。アーム回動軸受部１５Ｃと回動軸３１Ｓは、圧接アーム３１の支持部１３２Ｌ，１３２Ｒを構成している。したがって、圧接アーム３１の支持部１３２Ｌ，１３２Ｒは、分離パッドアーム２３の軸受としての回動中心軸２３Ｓとは異なる位置に配置されている。支持部１３２Ｌ，１３２Ｒも、アーム回動軸受部１５Ｃと回動軸３１Ｓとの間に隙間が形成されて、圧接アーム３１が原稿面に沿って傾動できるようにしてある。また、アーム回動軸受部１５Ｃと回動軸３１Ｓは、圧接アーム３１が原稿搬送方向の下流側へ移動するのを規制して、左、右圧接コロ２１Ｌ，２１Ｒの回動軸２５Ｒ，２５Ｌの向きが、原稿搬送方向に対して逆向きに同一角度で傾斜するようにしている。
【００５１】
第２実施形態のシート給送装置１１１は、次の効果を奏する。
【００５２】
（１）図１乃至図５において、分離パッドアーム２３が有している分離片２４は、給紙ローラ４とで原稿を挟んで給紙ローラ４の回転によって原稿が給送されているとき、常に原稿の摺動による摩擦力を受けている。このため、給紙ローラ４のアライメントがずれると、分離片２４を介して分離パッドアーム２３が影響を受けて、同軸に設けられている圧接アーム２０も影響を受けるおそれがある。しかし、本実施形態のシート給送装置１１１は、回動軸３１Ｓと回動中心軸２３Ｓとを異なる位置に配置してあるので、原稿の給送終了まで、圧接アーム３１と分離パッドアーム２３との動作が互いに影響しあうことがない。よって、圧接アーム３１は、真っ直ぐに矯正されて、原稿を斜行させることなく真っ直ぐに案内することができる。また、分離パッドアーム２３は、原稿の分離を確実に行うことができる。
【００５３】
（２）圧接アーム３１の回動軸３１Ｓの軸受部１５Ｃにおいて、若干遊び（隙間）を大きくとっても、圧接アーム３１の自動的にアライメントが矯正されるので斜行を引き起こさなくなる。これによって、より製造管理が容易な広めの寸法公差で圧接アーム３１を生産することができる。
【００５４】
（第３実施形態のシート給送装置）
図８は、第３実施形態のシート給送装置１２１の図であり、図４に相当する図である。圧接アーム４１も、案内ローラとしての左圧接コロ４２Ｌと、右圧接コロ４２Ｒとを有している。図９に示す、圧接コロＣ（左）４２Ｌ、圧接コロＣ（右）の表層４２ＬＳ、４２ＲＳには、高摩擦係数で低硬度を備えたゴム、エラストマ、及び微小突起材質等の摩擦部材が設けてある。
【００５５】
原稿束は、ユーザによって、左圧接コロ４１Ｌ、右圧接コロ４１Ｒと、給紙ローラ４との間に押し込まれて、最上位の原稿は、摩擦により左圧接コロ４１Ｌ、右圧接コロ４１Ｒを回転させながら、押し込まれる。このとき、左、右圧接コロ４２Ｌ，４２Ｒは、最上位の原稿に押される。そして、左、右圧接コロ４１Ｌ，４１Ｒの表層の高摩擦係数層４２ＬＳ、４２ＲＳの摩擦力が高いため、図５の場合よりも、左、右圧接コロ４２Ｌ，４２Ｒは、最上位の原稿に強く押されて、圧接アーム４１は、図５よりも強い力で下流側に押される。
【００５６】
このとき、仮に、圧接アーム４１が、分離パッドアーム２３の回動中心軸２３Ｓに、部品寸法不良に基づき、図５と同様に右に傾いていたとする。この場合、左圧接コロ４２Ｌの回動軸４５Ｌが原稿進行方向に対して直角な線（Ｌ、図３参照）に対する角は、右圧接コロ４２Ｒの回動軸４５Ｒが原稿進行方向に対して直角な線に対する角よりも小さい。
【００５７】
このため、右圧接コロ４２Ｒの回動軸４５Ｒに平行な分力がより大きくなり、自動的に上記寸法不良を補正する方向に圧接アーム４１が遊びの範囲内で原稿の上面に沿って図５と同様に左に回転する。そして、圧接アーム４１は、左圧接コロ２１Ｌ、右圧接コロ２１Ｒのそれぞれの回動軸４５Ｌ，４５Ｒが原稿進行方向に対してなす角がほぼ同一の角度（α、図３参照）になるまで回転して、真っ直ぐに矯正される。
【００５８】
しかも、圧接アーム４１は、上記のように、図５よりも強い力で下流側に押されるので、図５に示す第１実施形態の場合よりも速やかに真っ直ぐに矯正される。
【００５９】
また、表層４２ＬＳ、４２ＲＳにゴムもしくはエラストマなどの硬度の低い材質を使用した場合、原稿の下面に対する損傷を、第１実施形態の場合よりも小さくすることができる。
【００６０】
第３実施形態のシート給送装置１２１は、次の効果を奏する。
【００６１】
（１）表層４２ＬＳ、４２ＲＳの摩擦係数が高いため、分離パッドアーム２３の回動中心軸２３Ｓに対する左圧接コロ４２Ｌ、右圧接コロ４２Ｒの初期傾斜角を小さくすることができる。これにより、初期傾斜角に対する部品寸法不良に基づくガタや取り付けのガタなどによるアーム傾斜角の割合が大きくなり、より効果的に自動的に圧接アーム４１のアライメントを矯正することが可能となる。
【００６２】
（２）原稿が、両面光沢紙、写真はがきであっても、原稿に接触するのは、左、右圧接ローラ４２Ｌ，４２Ｒであり、表層４２ＬＳ、４２ＲＳの硬度を低くすると、従来と異なって、原稿に擦過跡等を残さずに原稿を給送することができる。また、下面が写真であるはがき等の表書きを読み込んでも写真面に影響を与えない。したがって、キャリング原稿が不要となりユーザの利便性が向上する。
【００６３】
本発明の画像読取装置１０２は、原稿の斜行量が少ないシート給送装置１０１，１１１，１２１を備えているので、原稿を真っ直ぐな状態で正確に読み取ることができる。
【図面の簡単な説明】
【００６４】
【図１】本実施形態のシート給送装置を備えた画像読取装置の原稿搬送方向に沿った断面図である。
【図２】図１の画像読取装置における第１実施形態のシート給送装置周辺の拡大図である。
【図３】圧接アームの平面図である。
【図４】図２に示した矢印Ｂ方向から見た図である。
【図５】圧接アームが傾いたときの図である。
【図６】傾いた圧接アームに加わる力の関係を示す図である。
【図７】第２実施形態のシート給送装置をシート搬送方向に沿った断面図である。
【図８】第３実施形態のシート給送装置の図であり、図４に相当する図である。
【図９】図８におけるＣ−Ｃ矢視断面である。
【符号の説明】
【００６５】
Ｇ      隙間
Ｌ      原稿搬送方向に対して直交する線
４      給紙ローラ（給送回転体）
５      圧接アームユニット
６      分離部材
１４      フレーム
１５      読取ガイド
１５Ｂ    読取ガイドに形成された軸受部
１５Ｃ    圧接アームの回動軸のアーム回動軸受部
２０      圧接アーム
２０Ｌ    左圧接コロホルダ部
２０Ｒ    右圧接コロホルダ部
２０Ｂ    圧接アームのアーム回動軸受部
２１Ｌ    左圧接コロ（回転体）
２１Ｒ    右圧接コロ（回転体）
２２      圧接ばね（付勢手段）
２３      分離パッドアーム
２３Ｓ    分離パッドアーム２３から出された回動中心軸（軸受）
２４      分離片（摩擦部材）
２５Ｌ    左圧接コロの回動軸
２５Ｒ    右圧接コロの回動軸
３１      圧接アーム
３１Ｓ    圧接アームの回動軸
３２Ｌ    支持部
３２Ｒ    支持部
３３      制御部
４１      圧接アーム
４２Ｌ    左圧接コロ（回転体）
４２Ｒ    右圧接コロ（回転体）
４２ＬＳ  左圧接コロの表層
４２ＲＳ  右圧接コロの表層
４５Ｌ    左圧接コロの回動軸
４５Ｒ    右圧接コロの回動軸
１０１      シート給送装置
１０２      画像読取装置
１１１      シート給送装置
１３２Ｌ    支持部
１３２Ｒ    支持部
１２１      シート給送装置
【図１】
2007314281.tif 000003
【図２】
2007314281.tif 000004
【図３】
2007314281.tif 000005
【図４】
2007314281.tif 000006
【図５】
2007314281.tif 000007
【図６】
2007314281.tif 000008
【図７】
2007314281.tif 000009
【図８】
2007314281.tif 000010
【図９】
2007314281.tif 000011